(57)【要約】【課題】  耐久性・信頼性に優れた防水型プッシュスイッチを提供する。【解決手段】  スイッチ部品５０を収容するケース１０と、ケース１０の上部開口に装着されるカバー部材２０Ａとを備えるプッシュスイッチにおいて、カバー部材２０Ａの内側の嵌合凹部２３Ａに硬質の操作プレート３０Ａを嵌合し、カバー部材２０Ａの外周に硬質の環状部材４０を圧入した。【選択図】  図２
2012134075.tif 000002
【特許請求の範囲】
【請求項１】
スイッチ部品と、前記スイッチ部品を支持するケースと、前記ケースの上部開口に装着される軟質のカバー部材とを備えたプッシュスイッチであって、
前記カバー部材は、内側に嵌合凹部を有し
前記嵌合凹部に、硬質の操作プレートが嵌め込まれ、
前記操作プレートの下面は、前記スイッチ部品の操作部に対面し、
前記カバー部材の外周に、前記ケースから離間した状態で硬質の環状部材が圧入され、
前記操作プレートの外周部と前記環状部材の内周部が、カバー部材を介して対向している、
ことを特徴とするプッシュスイッチ。
【請求項２】
前記カバー部材は、上部操作壁と側周壁を有するキャップ状を呈し、
前記環状部材は、前記側周壁に圧入され、
前記上部操作壁を押圧操作することにより、前記スイッチ部品が操作されることを特徴とする請求項１に記載のプッシュスイッチ。
【請求項３】
前記カバー部材は、上下に開口を有する筒状を呈し、
前記操作プレートは、上面が前記カバー部材の上部の開口から露出して前記嵌合凹部に嵌め込まれ、
前記操作プレートの上面を押圧操作することにより、前記スイッチ部品が操作されることを特徴とする請求項１に記載のプッシュスイッチ。
【発明の詳細な説明】
【技術分野】
【０００１】
本発明は、防水型のプッシュスイッチに関する。
【背景技術】
【０００２】
防水型のプッシュスイッチとして、例えば特許文献１には、図９に示すように、ケース９１内に配されたスイッチ９４の上に押圧部材９５を載置し、この押圧部材９５を防水用ゴムシート９７で覆ったプッシュスイッチが記載されている。
このプッシュスイッチでは、防水用ゴムシート９７の外周部がケース９１の上面を覆い、開口９６ａを有するカバー９６をケース９１に係止させて防水用ゴムシート９７を固定している。
【０００３】
また、特許文献２には、図１０に示すように、支持筒１１１内にスイッチ部品１１５を配し、このスイッチ部品１１５を押し込んで操作する操作ボタン１１９をキャップ状のボタンカバー１２０で覆い、操作ボタン１１９に連設されたガイド軸部１１８をガイド筒１１７内に配置した防水型のプッシュスイッチが記載されている。
このプッシュスイッチでは、支持板１０１と支持筒１１１との間にＯリング１１３を挟むとともに、ガイド筒１１７の内周部とガイド軸部１１８の外周部との間にＯリング１２５を挟んでいる。
【先行技術文献】
【特許文献】
【０００４】
【特許文献１】特開平１−６０４１９号公報
【特許文献２】特開２０１０−１４２２５５号公報
【発明の概要】
【発明が解決しようとする課題】
【０００５】
図９のプッシュスイッチによれば、ケース９１の周壁上面に突設した凸条９１ｂを防水用ゴムシート９７の下面に食い込ませた状態で防水用ゴムシート９７をケース９１の上面に固定できるため、信頼性の高い防水機能が得られるとされている。
【０００６】
しかしながら、図９のプッシュスイッチでは、防水用ゴムシート９７と押圧部材９５は一体化されていない。また、押圧部材９５が移動できるように、ケース９１の内面と押圧部材９５の外周との間に隙間９８を設ける必要がある。
このため、指で押圧操作される防水用ゴムシート９７にひび割れやピンホールが発生すると、防水用ゴムシート９７と押圧部材９５の境界、更にはケース９１と押圧部材９５の隙間９８を通って、ケース９１の内部に漏水してしまい、スイッチに電気的な故障が発生する危険性がある。
【０００７】
一方、図１０のプッシュスイッチでは、ボタンカバー１２０にひび割れやピンホールが生じても、Ｏリング１２５によりガイド軸部１１８とガイド筒１１７との間がシールされているので、スイッチ部品１１５部分には水が浸入せず、電気的な故障が発生することがない。
【０００８】
しかしながら、図１０のプッシュスイッチでは、スイッチ部品１１５への漏水防止のために、ガイド筒１１７、ガイド軸部１１８、Ｏリング１２５といった多くの部材を必要とするため、部材コストや組立コストが増大する問題がある。
【０００９】
そこで本発明は、上記のような従来技術が抱える課題を解決し、信頼性の高い防水機能を有するプッシュスイッチを提供することを目的とするものである。
【課題を解決するための手段】
【００１０】
本発明の請求項１のプッシュスイッチは、
スイッチ部品と、前記スイッチ部品を支持するケースと、前記ケースの上部開口に装着される軟質のカバー部材とを備えたプッシュスイッチであって、
前記カバー部材は、内側に嵌合凹部を有し
前記嵌合凹部に、硬質の操作プレートが嵌め込まれ、
前記操作プレートの下面は、前記スイッチ部品の操作部に対面し、
前記カバー部材の外周に、前記ケースから離間した状態で硬質の環状部材が圧入され、
前記操作プレートの外周部と前記環状部材の内周部が、カバー部材を介して対向している、
ことを特徴としているものである。
【００１１】
また、本発明の請求項２のプッシュスイッチは、請求項１のプッシュスイッチにおいて、
前記カバー部材は、上部操作壁と側周壁を有するキャップ状を呈し、
前記環状部材は、前記側周壁に圧入され、
前記上部操作壁を押圧操作することにより、前記スイッチ部品が操作されることを特徴としているものである。
また、本発明の請求項３のプッシュスイッチは、請求項１のプッシュスイッチにおいて、
前記カバー部材は、上下に開口を有する筒状を呈し、
前記操作プレートは、上面が前記カバー部材の上部の開口から露出して前記嵌合凹部に嵌め込まれ、
前記操作プレートの上面を押圧操作することにより、前記スイッチ部品が操作されることを特徴としているものである。
【発明の効果】
【００１２】
本発明のプッシュスイッチによれば、カバー部材の内側に硬質の操作プレートを嵌め込んでいるため、押圧操作時に軟質のカバー部材がスイッチ部品のエッジに直接当たることがなく、スイッチ部品によってカバー部材が破損するのを防止することができる。
また、本発明のプッシュスイッチによれば、カバー部材の外周に硬質の環状部材が圧入され、操作プレートの外周部と環状部材の内周部がカバー部材を介して対向しているため、環状部材と操作プレートに挟まれたカバー部材の領域が圧縮されてＯリングの機能を発揮することができる。このため、スイッチ部品が配置された空間への漏水を防ぐことができ、信頼性の高い防水機能が得られる。
【図面の簡単な説明】
【００１３】
【図１】本発明の第１の実施形態例に係るプッシュスイッチの上面図である。
【図２】図１中のＡ−Ａ線における断面図である。
【図３】図１のプッシュスイッチにおけるカバー部材を示す断面図である。
【図４】本発明の第１の実施形態例に係るプッシュスイッチの動作を説明するための断面図である。
【図５】本発明の第２の実施形態例に係るプッシュスイッチの上面図である。
【図６】図５中のＢ−Ｂ線における断面図である。
【図７】図５のプッシュスイッチにおけるカバー部材を示す断面図である。
【図８】本発明の第２の実施形態例に係るプッシュスイッチの動作を説明するための断面図である。
【図９】従来のプッシュスイッチの断面図である。
【図１０】従来の別のプッシュスイッチの断面図である。
【発明を実施するための形態】
【００１４】
本発明のプッシュスイッチは、スイッチ部品（５０）と、このスイッチ部品（５０）を支持するケース（１０）と、このケース（１０）の上部開口に装着される軟質のカバー部材（２０Ａ、２０Ｂ）とを備えるプッシュスイッチにおいて、カバー部材（２０Ａ、２０Ｂ）の内側の嵌合凹部（２３Ａ、２３Ｂ）に硬質の操作プレート（３０Ａ、３０Ｂ）が嵌め込まれ、操作プレート（３０Ａ、３０Ｂ）の下面がスイッチ部品（５０）の操作部（５１）に対面し、カバー部材（２０Ａ、２０Ｂ）の外周に硬質の環状部材（４０）が圧入され、操作プレート（３０Ａ、３０Ｂ）の外周部と環状部材（４０）の内周部がカバー部材（２０Ａ、２０Ｂ）を介して対向しているものである。
以下、図面に基づいて本発明の実施の形態を例示的に説明する。
【００１５】
（第１の実施形態例）
本例のプッシュスイッチの構成を図１乃至図３を用いて説明する。図１は本例に係るプッシュスイッチの上面図、図２は図１中のＡ−Ａ線における断面図、図３は本例のプッシュスイッチにおけるカバー部材の断面図である。
【００１６】
本例のプッシュスイッチ１Ａは、図示しない車両用ドアハンドル装置に装着されるものである。ユーザがドアロック装置を作動させるときは、車両用ドアハンドル装置より露出したプッシュスイッチ１Ａのカバー部材２０Ａを押圧してドアの施錠もしくは解錠を行うことができるようになっている。
【００１７】
本例のプッシュスイッチ１Ａは、ケース１０と、カバー部材２０Ａと、操作プレート３０Ａと、環状部材４０と、スイッチ部品５０と、スイッチ基板６０と、ストッパ７０を有する。
【００１８】
ケース１０は硬質樹脂で筒状に成形され、側壁１１と上壁１２を有する。
側壁１１の内周面の下方には複数の突起部１３が設けられ、上壁１２には開口（上部開口）が設けられている。
【００１９】
カバー部材２０Ａは、ゴム等の弾性を有する軟質樹脂で形成され、図３に示すように、上部操作壁２１と側周壁２２Ａを有するキャップ状を呈しており、内側には後述の操作プレート３０Ａを嵌め込むための嵌合凹部２３Ａを有している。
【００２０】
上部操作壁２１の中央上面には、円柱状の操作用突起２４が設けられている。
側周壁２２Ａは、上部操作壁２１の周縁から垂下され、下面に開口を有している。
この側周壁２２Ａの上部外周には、後述の環状部材４０を圧入するために凹形状の圧入部２７が形成されている。
また、側周壁２２Ａの下部外周には凹部２５が形成され、下端には外側に延びる鍔部２６が形成されている。
そして、カバー部材２０Ａは、凹部２５にケース１０の上壁１２が挿入され、鍔部２６の上面が上壁１２の下面に密着した状態でケース１０の上部開口に装着されている。
【００２１】
カバー部材２０Ａの嵌合凹部２３Ａには、操作プレート３０Ａが上部操作壁２１の下面に密着した状態で嵌め込まれている。この操作プレート３０Ａは、硬質樹脂によって板状に形成されており、上部周縁は滑らかな曲面状に形成されている。
【００２２】
カバー部材２０Ａの圧入部２７には、ケース１０から離間した状態で環状部材４０が圧入されている。この環状部材４０は、硬質樹脂によって環状に形成されており、その内周部が操作プレート３０Ａの外周部とカバー部材２０Ａを介して対向している。
すなわち、環状部材４０が圧入部２７に圧入されることにより、環状部材４０と操作プレート３０Ａに挟まれたカバー部材２０Ａの領域２８Ａは圧縮されている。
【００２３】
スイッチ部品５０は、円柱状の操作部５１と、直方体状の本体部５２と、端子５３を有する。
本例のスイッチ部品５０は、スイッチ基板６０の上に搭載されており、スイッチ部品５０とスイッチ基板６０はケース１０に支持され、操作プレート３０Ａの下面が操作部５１に対面している。
操作部５１は、本体部５２内から上方に突出し、上下方向に移動可能に構成され、本体部５２内の図示しない弾性部材により図面上向きに付勢されている。
操作部５１が下方に押圧されるとスイッチがオンされ、スイッチ基板６０に固定された図示しないリード線により外部に信号が伝わる。
【００２４】
ストッパ７０は、硬質樹脂によって形成されており、スイッチ基板６０の下面に圧接し、突起部１３によってケース１０内に係止して装着されている。
これにより、スイッチ基板６０は、カバー部材２０Ａの鍔部２６に圧接した状態でケース１０の内側に支持される。
なお、ストッパ７０を装着した後には、ストッパ７０の下面からシーリング剤を塗布して防水性を高めてもよい。
【００２５】
以上のように構成される本例のプッシュスイッチ１Ａは、図２の図面上方向から下方向にカバー部材２０Ａの操作用突起２４が押圧されると、図４に示すようにカバー部材２０Ａが弾性変形して、操作プレート３０Ａが操作部５１を下方へ押し込み、スイッチ部品５０をオンする。
具体的には、カバー部材２０Ａに装着されている環状部材４０はケース１０に接触していないため、操作用突起２４が押圧されると、環状部材４０とケース１０の間に位置するカバー部材２０Ａの領域２９が弾性変形して、操作プレート３０Ａが操作部５１を下方へ押し込み、スイッチ部品５０をオンする。
特に本例のプッシュスイッチ１Ａでは、環状部材４０とケース１０の間にあるカバー部材２０Ａの領域２９には所定の切り欠き２９ａが設けられており、操作用突起２４が押圧された際に領域２９は容易に弾性変形できるようになっている。
【００２６】
また、本例のプッシュスイッチ１Ａでは、カバー部材２０Ａの上部操作壁２１の下面に硬質の操作プレート３０Ａが嵌め込まれているため、押圧操作時に軟質のカバー部材２０Ａがスイッチ部品５０のエッジに直接当たることがなく、スイッチ部品５０によってカバー部材２０Ａが破損することがない。
また、仮に押圧操作の繰り返しによって上部操作壁２１に亀裂等が生じても、その下側の操作プレート３０Ａには亀裂等が生じることはない。
【００２７】
さらに、本例のプッシュスイッチ１Ａでは、カバー部材２０Ａに圧入された環状部材４０の内周部と操作プレート３０Ａの外周部がカバー部材２０Ａを介して対向し、環状部材４０と操作プレート３０Ａに挟まれたカバー部材２０Ａの領域２８Ａが圧縮された状態になっている。
このため、領域２８ＡがＯリングとしての機能を発揮することができ、仮に上部操作壁２１に亀裂が生じても、操作プレート３０Ａと領域２８Ａとの間に隙間が生じないため、スイッチ部品５０が配置された内部の空間に水が浸入せず、信頼性の高い防水機能が得られる。
このように、カバー部材２０Ａの領域２８ＡがＯリングとして機能するため、従来のように別体のＯリングを用いることなく防水機能を得ることができる。
【００２８】
なお、本例のプッシュスイッチ１Ａでは、軟質のカバー部材２０Ａに硬質の操作プレート３０Ａを嵌め込んでいるが、押圧操作されるカバー部材２０Ａの上部操作壁２１の下面に接触する操作プレート３０Ａの上部周縁は滑らかな曲面状を成しているため、操作プレート３０Ａによって上部操作壁２１が破損するようなこともない。
【００２９】
（第２の実施形態例）
本例のプッシュスイッチの構成を図５乃至図７を用いて説明する。図５は本例に係るプッシュスイッチの上面図、図６は図５中のＢ−Ｂ線における断面図、図７は本例のプッシュスイッチにおけるカバー部材の断面図である。これらの図に第１の実施形態例と同一構成部分には同一符号を付して重複する説明を省略する。
【００３０】
本例において第１の実施形態例と大きく異なる点は、以下の２点である。
まず、第１の実施形態例のカバー部材２０Ａは上部操作壁２１と側周壁２２Ａを有するキャップ状としたが、本例のカバー部材２０Ｂは上下に開口を有する筒状としている点が異なる。
また、第１の実施形態例では上部操作壁２１を押圧操作することによりスイッチ部品５０が操作されるように構成しているが、本例では操作プレート３０Ｂの上面がカバー部材２０Ｂの上部の開口から露出し、操作プレート３０Ｂの上面を押圧操作することによりスイッチ部品５０が操作されるように構成している点が異なる。
【００３１】
本例のカバー部材２０Ｂは、ゴム等の弾性を有する軟質樹脂で形成され、図７に示すように、側周壁２２Ｂからなる筒状を呈しており、内側には操作プレート３０Ｂを嵌め込むための嵌合凹部２３Ｂを有している。
【００３２】
操作プレート３０Ｂは、板状の平面部３１と、この平面部３１の中央上面に形成された円柱状の操作用突起３２からなる。
この操作プレート３０Ｂは、平面部３１の外周が嵌合凹部２３Ｂに嵌め込まれてカバー部材２０Ｂに装着されている。
【００３３】
そして、カバー部材２０Ｂの圧入部２７にケース１０から離間した状態で環状部材４０が圧入され、この環状部材４０の内周部が操作プレート３０Ｂの平面部３１の外周部とカバー部材２０Ｂを介して対向している。
【００３４】
以上のように構成される本例のプッシュスイッチ１Ｂは、図６の図面上方向から下方向に操作プレート３０Ｂの操作用突起３２が押圧されると、図８に示すようにカバー部材２０Ｂが弾性変形して、操作プレート３０Ｂの平面部３１が操作部５１を下方へ押し込み、スイッチ部品５０をオンする。
ずなわち、第１の実施形態例と同様、カバー部材２０Ｂに装着されている環状部材４０はケース１０に接触していないため、操作用突起３２が押圧されると、環状部材４０とケース１０の間に位置するカバー部材２０Ｂの領域２９が弾性変形して、操作プレート３０Ｂの平面部３１が操作部５１を下方へ押し込み、スイッチ部品５０をオンする。
【００３５】
本例のプッシュスイッチ１Ｂでは、直接に押圧操作される操作プレート３０Ｂは硬質樹脂で形成されているため、通常の押圧操作の繰り返しによっては亀裂等が生じることはない。
また、操作プレート３０Ｂの外周部と環状部材４０の内周部がカバー部材２０Ｂを介して対向し、環状部材４０と操作プレート３０Ｂに挟まれたカバー部材２０Ｂの領域２８Ｂが圧縮された状態になっている。
このため、領域２８ＢがＯリングとしての機能を発揮し、操作プレート３０Ｂと領域２８Ｂとの間に隙間が生じないため、スイッチ部品５０が配置された内部の空間に水が浸入せず、信頼性の高い防水機能が得られる。
このように、本例のプッシュスイッチ１Ｂにおいても、カバー部材２０Ｂの領域２８ＢがＯリングとして機能するため、従来のように別体のＯリングを用いることなく防水機能を得ることができる。
【００３６】
以上、本発明の２つの実施形態例を説明したが、本発明はこれらの実施形態例に限定されるものではなく、本発明の要旨を逸脱しない範囲で、適宜の変更等ができることは言うまでもない。
【００３７】
具体的には例えば、上記実施形態例ではカバー部材２０Ａや操作プレート３０Ｂに操作用突起（２４、３２）を設けているが、カバー部材２０Ａや操作プレート３０Ｂを下方に押し込むことによってスイッチ部品５０をオンできる形態になっていれば、操作突起（２４、３２）は必ずしも設ける必要はない。
また、上記実施形態例ではストッパ７０によってスイッチ基板６０をケース１０の内側に支持固定しているが、例えばケース１０にスイッチ基板６０を装着した後にケース１０に硬質樹脂からなる部材を一体に成形し、この部材でスイッチ基板６０を固定することもできる。
【符号の説明】
【００３８】
１Ａ、１Ｂ  プッシュスイッチ
１０  ケース
１１  側壁
１２  上壁
１３  突起部
２０Ａ、２０Ｂ  カバー部材
２１  上部操作壁
２２Ａ、２２Ｂ  側周壁
２３Ａ、２３Ｂ  嵌合凹部
２４  操作用突起
２５  凹部
２６  鍔部
２７  圧入部
３０Ａ、３０Ｂ  操作プレート
３１  平面部
３２  操作用突起
４０  環状部材
５０  スイッチ部品
５１  操作部
５２  本体部
５３  端子
６０  スイッチ基板
７０  ストッパ
【図１】
2012134075.tif 000003
【図２】
2012134075.tif 000004
【図３】
2012134075.tif 000005
【図４】
2012134075.tif 000006
【図５】
2012134075.tif 000007
【図６】
2012134075.tif 000008
【図７】
2012134075.tif 000009
【図８】
2012134075.tif 000010
【図９】
2012134075.tif 000011
【図１０】
2012134075.tif 000012